(57)【要約】【課題】  人体の健康を守り、ヘッドホン、拡声器およびスピーカの機能を兼ね備えたヘッドホン装置を提供する。【解決手段】  ハウジング１、スピーカ２および調整部材３を備え、ハウジング１の外側部１１上には複数の外部音孔１８が設けられ、スピーカ２はハウジング１内部に固定され、外側に向けて設置され、調整部材３はハウジング１上に設けられ、調整部材３上にはハウジング１の外部音孔１８に対応するように複数の調整孔３１が設けられ、調整孔３１とハウジング１の外部音孔１８との連通または閉塞を制御することができる。上述の構造によって人体の健康を守り、ヘッドホン、拡声器およびスピーカの機能を兼ね備えたヘッドホン装置を構成する。【選択図】  図４
0003111267.tif 000002
【実用新案登録請求の範囲】
【請求項１】
外側部および内側部を有し、前記外側部上には複数の外部音孔が設けられているハウジングと、
前記ハウジング内部に固定され、外側に向けて設置されたスピーカと、
前記ハウジング上に設置され、前記ハウジング上の前記外部音孔に対応するように複数の調整孔が設けられ、前記調整孔と前記ハウジングの前記外部音孔との連通または閉塞を制御する調整部材と、
を備えることを特徴とする複合機能を有するヘッドホン装置。
【請求項２】
前記ハウジングの前記外側部および前記内側部は、掛合または螺合によって一体化されることを特徴とする請求項１記載の複合機能を有するヘッドホン装置。
【請求項３】
前記ハウジングの前記内側部には固定座が設けられ、前記固定座内に前記スピーカが設置されることを特徴とする請求項１記載の複合機能を有するヘッドホン装置。
【請求項４】
前記ハウジングの外側または内部にマイクが設けられることを特徴とする請求項１記載の複合機能を有するヘッドホン装置。
【請求項５】
前記ハウジングの前記内側部上には複数の内部音孔が設けられ、前記内部音孔により前記内側部の内側と外側とが貫通され、前記ハウジングの前記内側部の外面には凹部が設けられ、前記凹部内にはスポンジが設置され、前記スポンジは前記内部音孔上を被覆することを特徴とする請求項１記載の複合機能を有するヘッドホン装置。
【請求項６】
前記ハウジングの内部に導音管が設けられることを特徴とする請求項１記載の複合機能を有するヘッドホン装置。
【請求項７】
前記ハウジング内部に少なくとも一つの第２のスピーカが設けられることを特徴とする請求項１記載の複合機能を有するヘッドホン装置。
【請求項８】
前記スピーカは、信号ラインまたは配線基板に接続されることを特徴とする請求項１記載の複合機能を有するヘッドホン装置。
【請求項９】
前記調整部材は、前記ハウジング内部へ回動できるように枢設され、前記調整部材にはつまみが突設され、前記つまみが前記ハウジングの外部へ突出されることを特徴とする請求項１記載の複合機能を有するヘッドホン装置。
【請求項１０】
前記ヘッドホン装置はヘッドセット式ヘッドホンであって、
二つのハウジング、二つのスピーカおよび二つの調整部材を備え、
前記二つのハウジングの間はヘッドバンドによって接続され、前記二つのスピーカおよび前記二つの調整部材は、前記二つのハウジング内部にそれぞれ設置されることを特徴とする請求項１記載の複合機能を有するヘッドホン装置。
【請求項１１】
前記ヘッドホン装置は、インナーイヤー式ヘッドホンまたは耳掛け式ヘッドホンであることを特徴とする請求項１記載の複合機能を有するヘッドホン装置。
【請求項１２】
前記ヘッドホン装置は、ワイヤレスヘッドホンまたはブルートゥースヘッドホンであることを特徴とする請求項１記載の複合機能を有するヘッドホン装置。
【考案の詳細な説明】
【技術分野】
【０００１】
本考案は、複合機能を有するヘッドホン装置に関し、特に人体の健康を守り、ヘッドホン、拡声器およびスピーカの機能を兼ね備えて使用上便利なヘッドホン装置に関する。
【背景技術】
【０００２】
ヘッドホンは現代生活において欠かすことができないものであり、飛行機の機内で音楽を聴くときや、日常生活で携帯型音楽再生機、ラジオまたは携帯電話などを使用するときに使われている。
【０００３】
図１に示すように、従来のヘッドホン装置９は、ハウジング９１内にスピーカ９２がそれぞれ内向きに設置され、スピーカ９２には信号ライン９３が接続され、スピーカ９２が信号を受信すると、音声がスピーカ９２から放出され、音声を内向きにユーザの耳まで伝える。
【０００４】
上述した従来のヘッドホンまたはその他の形式のヘッドホンは、スピーカがすべて内向きに設置されており、スピーカから放出される音声（音波）は直接にユーザの耳まで伝わるため、ユーザの鼓膜に不快感を与えるだけでなく、更には耳内部の病気を引き起こしたり、聴力の低下をもたらしたりすることもあり、健康に悪影響を与える虞があった。
【０００５】
また、従来のヘッドホン装置は単純なヘッドホンの機能しかなく、その他の機能を提供することが困難であった。しかし、情報技術およびマルチメディアが発展するに伴い、単一機能しか具備しないヘッドホンではユーザの要求を満たすことができなくなった。特にユーザが拡声器やスピーカを使用するときには、これらを別に購入しなければならないため非常に不便であった。
【０００６】
そこで、本考案者は上述の従来技術における欠点を解決するために研究を重ね、合理的な設計により、上述の欠点を解決することのできる本考案をついに案出した。
【考案の開示】
【考案が解決しようとする課題】
【０００７】
本考案の主要な目的は、快適に使用することができ、耳内部の病気や聴力低下の発生を減少させ、人体の健康を維持し、ヘッドホン、拡声器およびスピーカの機能を兼ね備えて使用に便利なヘッドホン装置を提供することにある。
【課題を解決するための手段】
【０００８】
上述の目的を達成するため、本考案は複合機能を有するヘッドホン装置を提供する。本考案の複合機能を有するヘッドホン装置は、外側部および内側部を有し、外側部上に複数の外部音孔が設けられているハウジングと、ハウジング内部に固定され、外側に向けて設置されたスピーカと、ハウジング上に設置され、ハウジング上の外部音孔に対応するように複数の調整孔が設けられ、調整孔とハウジングの外部音孔との連通または閉塞を制御することのできる調整部材とを備える。
【考案の効果】
【０００９】
本考案の複合機能を有するヘッドホン装置は、ユーザが調整部材上の調整孔とハウジングの外部音孔とを閉塞させたとき、ハウジングの外部音孔が調整部材によって密封され、スピーカから放出された音波は密封されたハウジングの外側部および調整部材によって反射された後、ハウジングの内部音孔から放出される。つまりスピーカから放出された音波は、反射されて間接的にユーザの耳に届くため、ユーザの鼓膜に与える不快感を減らすことができる。そのため、快適に使用でき、耳内部に病気を発生させたり、聴力低下をもたらしたりすることを減らして、人体の健康を守ることができる。さらに、ユーザが調整部材上の調整孔とハウジングの外部音孔とを連通させたとき、ハウジングの外部音孔は調整部材によって開放され、スピーカから外側に向かって放出される音波はハウジングの外側部上の外部音孔から外部に放出されるため、拡声器およびスピーカとしての機能を備えることができる。そして、このときにヘッドホン装置を適当な位置に設置して、拡声器またはスピーカとして使用することができる。
【考案を実施するための最良の形態】
【００１０】
本考案の特徴および技術内容を更に明らかにするために、以下では図面を参照しながら本考案の詳細な説明を行うが、図面は参考および説明のためだけに提供されたものであり、本考案を何ら制限するものではない。
【００１１】
図２から図４は、本考案の第１実施形態による複合機能を有するヘッドホン装置を示すが、ヘッドホン装置の形式はこれだけに限定されるわけではない。本考案の第１実施形態はヘッドセット式ヘッドホン装置である。このヘッドホン装置は、二つのハウジング１、二つのスピーカ２および二つの調整部材３を備える。これら二つのハウジング１の間はヘッドバンド４によって接続されているため、ヘッドホン装置はヘッドバンド４を用いてユーザの頭部に固定することができるとともに、二つのハウジング１をユーザの両耳に合せることができる。また、二つのスピーカ２および二つの調整部材３は、二つのハウジング１内部にそれぞれ設置されている。
【００１２】
ハウジング１は、外側部１１および内側部１２からなり、外側部と内側部とは掛合またはネジ１３による螺合により一体化されて完全なハウジング１に組み立てられる。ハウジング１の内側部１２の内面には環状の固定座１４が設けられ、内側部１２上には複数の内部音孔１５が設けられ、複数の内部音孔１５は内側部１２の内側と外側とを貫通するように設けられている。ハウジング１の内側部１２の外面には凹部１６が設けられ、凹部１６内にはスポンジ１７が設置され、スポンジ１７はこれら内部音孔１５上を被覆する。外側部１１上には複数の外部音孔１８が設けられ、これら外部音孔１８は外側部１１の内側と外側とを貫通するように設けられている。ハウジング１の外側部１１には、マイク６を接続することもでき、ハウジング１の内側部１２には軟性材料８を接続することもできる。また、図９に示すように、マイク６は設置しなくてもよい。
【００１３】
スピーカ２は固定座１４内に設置されるが、このスピーカ２は粘着または掛合等の方式により固定座１４内へ適当に固定されて、スピーカ２がハウジング１内に固定される。スピーカ２は外側に向けて設置され、スピーカ２の前端面２１はハウジング１の外側部１１を向いている。スピーカ２は、信号ライン５または配線基板へ適当に接続される。スピーカ２から放出される音声（音波）は、調整部材３により選択された外部音孔１８または内部音孔１５から放出される。
【００１４】
調整部材３は円形またはその他の形状のプレート体であり、調整部材３は回動できるようにハウジング１内部に枢設され、調整部材３上にはハウジング１上の外部音孔１８に対応するように複数の調整孔３１が設けられ、調整部材３の外縁にはつまみ３２が突設されている。つまみ３２はハウジング１の外部に突出され、ユーザはつまみ３２を用いて調整部材３を回動させることにより、調整部材３上にある調整孔３１とハウジング１の外部音孔１８との連通または閉塞を制御する。このように複合機能を有するヘッドホン装置は、上述の構造により形成される。
【００１５】
図４に示すように、ユーザが調整部材３上の調整孔３１（図２を参照）とハウジング１の外部音孔１８とをずらして閉塞させると、ハウジング１の外部音孔１８は調整部材３によって密封され、スピーカ２から外向きに放出された音波は密封されたハウジング１の外側部１１および調整部材３によって反射された後、ハウジング１の内部音孔１５から伝えられる。つまりスピーカ２から放出された音波は間接反射されてユーザの耳に伝わるため、ユーザの鼓膜に与える不快感を減少させることができる。そして、ヘッドホンを使用した時の快適性を高めると同時に、耳内部の病気や聴力低下の発生を減少させて、人体の健康を維持することができる。
【００１６】
図５に示すように、ユーザにより調整部材３上にある調整孔３１とハウジング１の外部音孔１８とが連通されると、ハウジング１の外部音孔１８は、調整部材３によって開放され、スピーカ２から外側に向かって放出された音波はハウジング１の外側部１１上にある外部音孔１８から外部に放出され、拡声器およびスピーカとしての機能を具備させることができる。そのため、ヘッドホン装置を適当な位置に設置し、拡声器またはスピーカとして使用することができる。
【００１７】
図６および図６Ａに示すように、本考案の第２実施形態による複合ヘッドホン装置は、ハウジング１内部に導音管７を設けることもできる。導音管７は両端が開口状になった管体であり、導音管７の両端はそれぞれ内側および外側を向いている。ユーザが調整部材３上の調整孔３１とハウジング１の外部音孔１８とを制御して閉塞させると、ハウジング１の外部音孔１８は調整部材３により密封され、スピーカ２から外側に向かって放出された音波は、密封されたハウジング１の外側部１１および調整部材３によって反射された後、導音管７によって内部に導かれ、ハウジング１の内部音孔１５から放出される。
【００１８】
図６Ｂに示すように、ユーザが調整部材３上の調整孔３１とハウジング１の外部音孔１８とを連通させるように制御すると、導音管７の外端は調整部材３によって閉塞され、導音管７を使用しなくとも、ハウジング１の外部音孔１８は調整部材３によって開放され、スピーカ２から外側に向かって放出された音波はハウジング１の外側部１１上の外部音孔１８から外部に放出されるため、ヘッドホン装置は拡声器またはスピーカとしての機能を備えることもできる。
【００１９】
本考案は、第３実施形態および第６実施形態のように、一般のインナーイヤー式ヘッドホン（図７および図１０に示す）に応用することもできるし、第４実施形態のように、耳掛け式ヘッドホン（図８に示す）に応用することもできる。しかし、その構造は上述の実施形態とほぼ同様であるためここでは繰返して述べない。
【００２０】
また、本考案は第３実施形態（図７に示す）のように、マイク６をハウジング１内部に設け、ハウジング１上に設けられたスイッチ１９によりスピーカ２またはマイク６を制御することもできる。
【００２１】
さらに、本考案は第７実施形態（図１１に示す）のように、ハウジング１の内側部１２および内部音孔１５の形状、構造を変更することもできる。
【００２２】
本考案の第８実施形態（図１２に示す）のように、ハウジング１内部に複数の小さな第２のスピーカ２’を設置することにより、マルチチャンネルの立体音響効果を具備させることもできる。
【００２３】
本考案の第９の実施形態（図１３に示す）のように、一般のワイヤレスヘッドホンまたはブルートゥースヘッドホンに適用することもできる。
【００２４】
上述の説明から分かるように、本考案は新しく創造された製品であり、極めて高い産業上の利用性、新規性および進歩性を有する。
【００２５】
上述の説明は本考案の好適な実施形態を示したものであり、本考案の請求範囲を限定するものではなく、本考案の明細書および図面内容を運用した等しい効果を具備する技術は全て本考案の範囲に含まれる。
【図面の簡単な説明】
【００２６】
【図１】従来のヘッドホン装置を示す部分断面図である。
【図２】本考案の第１実施形態によるヘッドホン装置を示す分解斜視図である。
【図３】本考案の第１実施形態によるヘッドホン装置を示す斜視図である。
【図４】本考案の第１実施形態によるヘッドホン装置を示す部分断面図である。
【図５】本考案の第１実施形態によるヘッドホン装置のもう一つの使用状態を示す部分断面図である。
【図６】本考案の第２実施形態によるヘッドホン装置を示す部分断面図である。
【図６Ａ】本考案の第２実施形態によるヘッドホン装置の使用状態を示す部分横断面図である。
【図６Ｂ】本考案の第２実施形態によるヘッドホン装置のもう一つの使用状態を示す部分横断面図である。
【図７】本考案の第３実施形態によるヘッドホン装置を示す部分断面図である。
【図８】本考案の第４実施形態によるヘッドホン装置を示す分解斜視図である。
【図９】本考案の第５実施形態によるヘッドホン装置を示す部分断面図である。
【図１０】本考案の第６実施形態によるヘッドホン装置を示す部分断面図である。
【図１１】本考案の第７実施形態によるヘッドホン装置を示す分解斜視図である。
【図１２】本考案の第８実施形態によるヘッドホン装置を示す斜視図である。
【図１３】本考案の第９実施形態によるヘッドホン装置の使用状態を示す斜視図である。
【符号の説明】
【００２７】
１        ハウジング
１１      外側部
１２      内側部
１３      ネジ
１４      固定座
１５      内部音孔
１６      凹部
１７      スポンジ
１８      外部音孔
１９      スイッチ
２        スピーカ
２１      前端面
２’      第２のスピーカ
３        調整部材
３１      調整孔
３２      つまみ
４        ヘッドバンド
５        信号ライン
６        マイク
７        導音管
８        軟性材料
【図１】
0003111267.tif 000003
【図２】
0003111267.tif 000004
【図３】
0003111267.tif 000005
【図４】
0003111267.tif 000006
【図５】
0003111267.tif 000007
【図６】
0003111267.tif 000008
【図６Ａ】
0003111267.tif 000009
【図６Ｂ】
0003111267.tif 000010
【図７】
0003111267.tif 000011
【図８】
0003111267.tif 000012
【図９】
0003111267.tif 000013
【図１０】
0003111267.tif 000014
【図１１】
0003111267.tif 000015
【図１２】
0003111267.tif 000016
【図１３】
0003111267.tif 000017